(57)【要約】      （修正有）【課題】任意の場所に設置しつつ所定の動画または静止画を表示することができ、動画または静止画を表示中に、一方の面の側や他方の面の側の景観（様子）を視認することができるＬＥＤディスプレイを提供する。【解決手段】ＬＥＤディスプレイ１０Ａは、可撓性を有する透明なフレキシブル透明シート基板１１と、フレキシブル透明シート基板１１の一方の面１２に設置された複数のＬＥＤ素子１４とから形成され、複数のＬＥＤ素子１４がフレキシブル透明シート基板１１に所定パターンの画素を構成し、フレキシブル透明シート基板１１の一方の面１２に所定の動画または静止画を表示し、フレキシブル透明シート基板１１の一方の面１２に所定の動画または静止画を表示中に、フレキシブル透明シート基板１１の一方の面１２の側から反対側の景観を視認可能であり、フレキシブル透明シート基板１１の他方の面１３の側から反対側の景観を視認可能である。【選択図】図１
2018185396.tif 000002
【特許請求の範囲】
【請求項１】
所定面積の可撓性を有する透明なフレキシブル透明シート基板と、前記フレキシブル透明シート基板の一方の面に設置された複数のＬＥＤ素子とから形成され、前記複数のＬＥＤ素子が前記フレキシブル透明シート基板の単位面積当たりに所定の数で配置されて所定パターンの画素を構成し、前記複数のＬＥＤ素子を利用して前記フレキシブル透明シート基板の一方の面に所定の動画または静止画を表示し、前記フレキシブル透明シート基板の一方の面に所定の動画または静止画を表示中に、前記フレキシブル透明シート基板の一方の面の側から反対側の景観を視認可能であり、前記フレキシブル透明シート基板の他方の面の側から反対側の景観を視認可能であることを特徴とするＬＥＤディスプレイ。
【請求項２】
前記ＬＥＤディスプレイが、前記フレキシブル透明シート基板の他方の面を片面または両面に取り付けた所定面積の透明な支持プレートを含み、前記ＬＥＤディスプレイでは、前記複数のＬＥＤ素子を利用して前記フレキシブル透明シート基板の一方の面に所定の動画または静止画を表示中に、前記支持プレートの一方の面の側から反対側の景観を視認可能であり、前記支持プレートの他方の面の側から反対側の景観を視認可能である請求項１に記載のＬＥＤディスプレイ。
【請求項３】
所定面積の可撓性を有する透明なフレキシブル透明シート基板と、前記フレキシブル透明シート基板の一方の面に設置された複数のＬＥＤ素子とから形成され、前記複数のＬＥＤ素子が前記フレキシブル透明シート基板の単位面積当たりに所定の数で配置されて所定パターンの画素を構成し、前記複数のＬＥＤ素子を利用して前記フレキシブル透明シート基板の一方の面に所定の動画または静止画を表示し、前記フレキシブル透明シート基板の一方の面に所定の動画または静止画を表示中に、前記フレキシブル透明シート基板の一方の面の側から反対側の景観を視認不能であり、前記フレキシブル透明シート基板の他方の面の側から反対側の景観を視認可能であることを特徴とするＬＥＤディスプレイ。
【請求項４】
前記ＬＥＤディスプレイが、前記フレキシブル透明シート基板の他方の面を片面または両面に取り付けた所定面積の透明な支持プレートを含み、前記ＬＥＤディスプレイでは、前記複数のＬＥＤ素子を利用して前記フレキシブル透明シート基板の一方の面に所定の動画または静止画を表示中に、前記動画または静止画を表示中の前記支持プレートの面の側から反対側の景観を視認不能であり、前記動画または静止画を非表示中の前記支持プレートの面の側から反対側の景観を視認可能である請求項３に記載のＬＥＤディスプレイ。
【請求項５】
前記支持プレートが、その前方と後方との少なくとも一方へ向かって凸となるように所定の曲率半径を有して円弧を画き、前記フレキシブル透明シート基板が、前記支持プレートの曲率にあわせて円弧を画きつつ該支持プレートに取り付けられている請求項２、請求項４に記載のＬＥＤディスプレイ。
【請求項６】
所定面積の可撓性を有する透明なフレキシブル透明シート基板と、前記フレキシブル透明シート基板の一方の面と他方の面とに設置された複数のＬＥＤ素子とから形成され、前記複数のＬＥＤ素子が前記フレキシブル透明シート基板の単位面積当たりに所定の数で配置されて所定パターンの画素を構成し、前記複数のＬＥＤ素子を利用して前記フレキシブル透明シート基板の一方の面と他方の面とのうちの少なくとも一面に所定の動画または静止画を表示し、前記フレキシブル透明シート基板の一方の面と他方の面とのうちの少なくとも一面に所定の動画または静止画を表示中に、前記フレキシブル透明シート基板の一方の面の側から反対側の景観を視認可能であり、前記フレキシブル透明シート基板の他方の面の側から反対側の景観を視認可能であることを特徴とするＬＥＤディスプレイ。
【請求項７】
前記ＬＥＤディスプレイが、前記フレキシブル透明シート基板の一方の面に対向する所定面積の透明な第１支持プレートと、前記フレキシブル透明シート基板の他方の面に対向する所定面積の透明な第２支持プレートとを含み、前記ＬＥＤディスプレイでは、前記複数のＬＥＤ素子を利用して前記フレキシブル透明シート基板の一方の面と他方の面とのうちの少なくとも一面に所定の動画または静止画を表示中に、前記第１支持プレートの外面の側から反対側の景観を視認可能であり、前記第２支持プレートの外面の側から反対側の景観を視認可能である請求項６に記載のＬＥＤディスプレイ。
【請求項８】
所定面積の可撓性を有する透明なフレキシブル透明シート基板と、前記フレキシブル透明シート基板の一方の面と他方の面とに設置された複数のＬＥＤ素子とから形成され、前記複数のＬＥＤ素子が前記フレキシブル透明シート基板の単位面積当たりに所定の数で配置されて所定パターンの画素を構成し、前記複数のＬＥＤ素子を利用して前記フレキシブル透明シート基板の一方の面と他方の面とのうちの少なくとも一面に所定の動画または静止画を表示し、前記フレキシブル透明シート基板の一方の面と他方の面とのうちの少なくとも一面に所定の動画または静止画を表示中に、前記動画または静止画を表示中の前記フレキシブル透明シート基板の面の側から反対側の景観を視認不能であり、前記動画または静止画を非表示中の前記フレキシブル透明シート基板の面の側から反対側の景観を視認可能であることを特徴とするＬＥＤディスプレイ。
【請求項９】
前記ＬＥＤディスプレイが、前記フレキシブル透明シート基板の一方の面に対向する所定面積の透明な第１支持プレートと、前記フレキシブル透明シート基板の他方の面に対向する所定面積の透明な第２支持プレートとを含み、前記ＬＥＤディスプレイでは、前記複数のＬＥＤ素子を利用して前記フレキシブル透明シート基板の一方の面と他方の面とのうちの少なくとも一面に所定の動画または静止画を表示中に、前記第１および第２支持プレートのうちの前記動画または静止画を表示中の支持プレートの面の側から反対側の景観を視認不能であり、前記第１および第２支持プレートのうちの前記動画または静止画を非表示中の支持プレートの面の側から反対側の景観を視認可能である請求項８に記載のＬＥＤディスプレイ。
【請求項１０】
前記第１支持プレートと前記第２支持プレートとが、その前方と後方との少なくとも一方へ向かって凸となるように所定の曲率半径を有して円弧を画き、前記フレキシブル透明シート基板が、前記第１支持プレートと前記第２支持プレートとの曲率にあわせて円弧を画きつつそれら支持プレートの間に配置されている請求項７、請求項９に記載のＬＥＤディスプレイ。
【発明の詳細な説明】
【技術分野】
【０００１】
本発明は、所定の動画または静止画を表示するＬＥＤディスプレイに関する。
【背景技術】
【０００２】
複数の画素に対応する複数のＬＥＤ素子を所定のパターンに配置して所定の画像を表示するＬＥＤディスプレイと、各ＬＥＤ素子から一定の距離を保ちまたは密着して配置された光を拡散する機能を有する板状またはフィルム状の光学部材Ａと、ＬＥＤ素子と光学部材Ａとの間に配置されてＬＥＤ素子および光学部材Ａの双方に接する光透過性を有する光学部材Ｂとを有するＬＥＤディスプレイ装置が開示されている（特許文献１参照）。このＬＥＤディスプレイ装置は、光を拡散する板状またはフィルム状の光学部材ＡをＬＥＤ素子から一定の距離を保ちまたは密着して配置することで、ＬＥＤ素子の光が点から面に変化するから、点光源が識別されず、連続的な自然な画像として認識することができるとともに、再撮影においてモアレ現象の発生を防止することができる。
【先行技術文献】
【特許文献】
【０００３】
【特許文献１】特開２０１４−２０２８１６号公報
【発明の概要】
【発明が解決しようとする課題】
【０００４】
前記特許文献１に開示のＬＥＤディスプレイ装置は、それを床や台の上に置き、その状態で所定の画像を表示するが、ＬＥＤディスプレイ装置の一方の面の側から反対側の景観を視認することができず、ＬＥＤディスプレイ装置の他方の面の側から反対側の景観を視認することができないから、所定の動画または静止画を表示中、または、所定の動画または静止画を非表示中に、ＬＥＤディスプレイ装置の一方の面の側や他方の面の側の様子を知ることができない。また、ＬＥＤディスプレイ装置の設置箇所が所定の曲率半径で湾曲しまたは所定の角度で曲折する場合、ＬＥＤディスプレイ装置をその曲率半径やその角度にあわせて湾曲または曲折させることができず、所定の曲率半径で湾曲する設置箇所や所定の角度で曲折する設置箇所にＬＥＤディスプレイ装置を取り付けることができない。
【０００５】
本発明の目的は、任意の場所に設置しつつ所定の動画または静止画を表示することができ、動画または静止画を表示中、または、動画または静止画を非表示中に、一方の面の側や他方の面の側の景観（様子）を視認することができるＬＥＤディスプレイを提供することにある。本発明の他の目的は、所定の曲率半径で湾曲させることができ、湾曲させた状態で動画または静止画を表示することができるＬＥＤディスプレイを提供することにある。本発明の他の目的は、任意の場所に設置可能であって商品やサービスの各種情報を伝える伝達媒体として利用することができるＬＥＤディスプレイを提供することにある。
【課題を解決するための手段】
【０００６】
前記課題を解決するための本発明に係るＬＥＤディスプレイの第１の特徴は、所定面積の可撓性を有する透明なフレキシブル透明シート基板と、フレキシブル透明シート基板の一方の面に設置された複数のＬＥＤ素子とから形成され、複数のＬＥＤ素子がフレキシブル透明シート基板の単位面積当たりに所定の数で配置されて所定パターンの画素を構成し、複数のＬＥＤ素子を利用してフレキシブル透明シート基板の一方の面に所定の動画または静止画を表示し、フレキシブル透明シート基板の一方の面に所定の動画または静止画を表示中に、フレキシブル透明シート基板の一方の面の側から反対側の景観を視認可能であり、フレキシブル透明シート基板の他方の面の側から反対側の景観を視認可能であることにある。
【０００７】
前記第１の特徴を有するＬＥＤディスプレイの一例としては、フレキシブル透明シート基板の他方の面を片面または両面に取り付けた所定面積の透明な支持プレートを含み、ＬＥＤディスプレイでは、複数のＬＥＤ素子を利用してフレキシブル透明シート基板の一方の面に所定の動画または静止画を表示中に、支持プレートの一方の面の側から反対側の景観を視認可能であり、支持プレートの他方の面の側から反対側の景観を視認可能である。
【０００８】
前記課題を解決するための本発明に係るＬＥＤディスプレイの第２の特徴は、所定面積の可撓性を有する透明なフレキシブル透明シート基板と、フレキシブル透明シート基板の一方の面に設置された複数のＬＥＤ素子とから形成され、複数のＬＥＤ素子がフレキシブル透明シート基板の単位面積当たりに所定の数で配置されて所定パターンの画素を構成し、複数のＬＥＤ素子を利用してフレキシブル透明シート基板の一方の面に所定の動画または静止画を表示し、フレキシブル透明シート基板の一方の面に所定の動画または静止画を表示中に、フレキシブル透明シート基板の一方の面の側から反対側の景観を視認不能であり、フレキシブル透明シート基板の他方の面の側から反対側の景観を視認可能であることにある。
【０００９】
前記第２の特徴を有するＬＥＤディスプレイの一例としては、フレキシブル透明シート基板の他方の面を片面または両面に取り付けた所定面積の透明な支持プレートを含み、ＬＥＤディスプレイでは、複数のＬＥＤ素子を利用してフレキシブル透明シート基板の一方の面に所定の動画または静止画を表示中に、動画または静止画を表示中の支持プレートの面の側から反対側の景観を視認不能であり、動画または静止画を非表示中の支持プレートの面の側から反対側の景観を視認可能である。
【００１０】
前記第１および第２の特徴を有するＬＥＤディスプレイの一例としては、支持プレートがその前方と後方との少なくとも一方へ向かって凸となるように所定の曲率半径を有して円弧を画き、フレキシブル透明シート基板が支持プレートの曲率にあわせて円弧を画きつつ支持プレートに取り付けられている。
【００１１】
前記課題を解決するための本発明に係るＬＥＤディスプレイの第３の特徴は、所定面積の可撓性を有する透明なフレキシブル透明シート基板と、フレキシブル透明シート基板の一方の面と他方の面とに設置された複数のＬＥＤ素子とから形成され、複数のＬＥＤ素子が前記フレキシブル透明シート基板の単位面積当たりに所定の数で配置されて所定パターンの画素を構成し、複数のＬＥＤ素子を利用してフレキシブル透明シート基板の一方の面と他方の面とのうちの少なくとも一面に所定の動画または静止画を表示し、フレキシブル透明シート基板の一方の面と他方の面とのうちの少なくとも一面に所定の動画または静止画を表示中に、フレキシブル透明シート基板の一方の面の側から反対側の景観を視認可能であり、フレキシブル透明シート基板の他方の面の側から反対側の景観を視認可能であることにある。
【００１２】
前記第３の特徴を有するＬＥＤディスプレイの一例としては、フレキシブル透明シート基板の一方の面に対向する所定面積の透明な第１支持プレートと、フレキシブル透明シート基板の他方の面に対向する所定面積の透明な第２支持プレートとを含み、ＬＥＤディスプレイでは、複数のＬＥＤ素子を利用してフレキシブル透明シート基板の一方の面と他方の面とのうちの少なくとも一面に所定の動画または静止画を表示中に、第１支持プレートの外面の側から反対側の景観を視認可能であり、第２支持プレートの外面の側から反対側の景観を視認可能である。
【００１３】
前記課題を解決するための本発明に係るＬＥＤディスプレイの第４の特徴は、所定面積の可撓性を有する透明なフレキシブル透明シート基板と、フレキシブル透明シート基板の一方の面と他方の面とに設置された複数のＬＥＤ素子とから形成され、複数のＬＥＤ素子がフレキシブル透明シート基板の単位面積当たりに所定の数で配置されて所定パターンの画素を構成し、複数のＬＥＤ素子を利用してフレキシブル透明シート基板の一方の面と他方の面とのうちの少なくとも一面に所定の動画または静止画を表示し、フレキシブル透明シート基板の一方の面と他方の面とのうちの少なくとも一面に所定の動画または静止画を表示中に、動画または静止画を表示中のフレキシブル透明シート基板の面の側から反対側の景観を視認不能であり、動画または静止画を非表示中のフレキシブル透明シート基板の面の側から反対側の景観を視認可能であることにある。
【００１４】
前記第４の特徴を有するＬＥＤディスプレイの一例としては、フレキシブル透明シート基板の一方の面に対向する所定面積の透明な第１支持プレートと、フレキシブル透明シート基板の他方の面に対向する所定面積の透明な第２支持プレートとを含み、ＬＥＤディスプレイでは、複数のＬＥＤ素子を利用してフレキシブル透明シート基板の一方の面と他方の面とのうちの少なくとも一面に所定の動画または静止画を表示中に、第１および第２支持プレートのうちの動画または静止画を表示中の支持プレートの面の側から反対側の景観を視認不能であり、第１および第２支持プレートのうちの動画または静止画を非表示中の支持プレートの面の側から反対側の景観を視認可能である。
【００１５】
前記第３および第４の特徴を有するＬＥＤディスプレイの一例としては、第１支持プレートと第２支持プレートとがその前方と後方との少なくとも一方へ向かって凸となるように所定の曲率半径を有して円弧を画き、フレキシブル透明シート基板が第１支持プレートと第２支持プレートとの曲率にあわせて円弧を画きつつそれら支持プレートの間に配置されている。
【発明の効果】
【００１６】
請求項１に記載のＬＥＤディスプレイによれば、所定面積の可撓性を有する透明なフレキシブル透明シート基板およびフレキシブル透明シート基板の一方の面に設置されて所定パターンの画素を構成する複数のＬＥＤ素子から形成され、所定の動画または静止画を表示中に、フレキシブル透明シート基板の一方の面の側から反対側の景観を視認可能であり、フレキシブル透明シート基板の他方の面の側から反対側の景観を視認可能であるから、任意の場所に設置可能であって所定の動画または静止画をフレキシブル透明シート基板の一方の面に表示することができることはもちろん、所定の動画または静止画を表示中に、フレキシブル透明シート基板の一方の面の側と他方の面の側とから反対側の景観を見ることができ、閉塞感を与えることはなく、ＬＥＤディスプレイを利用することで開放的な環境において所定の動画または静止画を見せることができる。ＬＥＤディスプレイは、フレキシブル透明シート基板の一方の面に所定の画像を表示することで、任意の場所に設置可能な宣伝用媒体として使用することができ、商品やサービスの各種情報を伝える伝達媒体として利用することができる。
【００１７】
フレキシブル透明シート基板の他方の面を片面または両面に取り付けた所定面積の透明な支持プレートを含み、複数のＬＥＤ素子を利用してフレキシブル透明シート基板の一方の面に所定の動画または静止画を表示中に、支持プレートの一方の面の側から反対側の景観を視認可能であり、支持プレートの他方の面の側から反対側の景観を視認可能であるＬＥＤディスプレイは、任意の場所に設置可能であって所定の動画または静止画を支持プレートの片面または両面に表示することができることはもちろん、所定の動画または静止画を表示中に、支持プレートの一方の面の側から反対側の景観を視認することができ、支持プレートの他方の面の側から反対側の景観を視認することができ、閉塞感を与えることはなく、画像表示パネルを利用することで開放的な環境において所定の動画または静止画を見せることができる。ＬＥＤディスプレイは、支持プレートの両面や片面に所定の画像を表示することで、任意の場所に設置可能なポスターパネルや展示パネル、間仕切りパネル等の宣伝用のパネル板として使用することができ、商品やサービスの各種情報を伝える伝達媒体として利用することができる。
【００１８】
請求項３に記載のＬＥＤディスプレイによれば、所定面積の可撓性を有する透明なフレキシブル透明シート基板およびフレキシブル透明シート基板の一方の面に設置されて所定パターンの画素を構成する複数のＬＥＤ素子から形成され、所定の動画または静止画を表示中に、フレキシブル透明シート基板の一方の面の側から反対側の景観を視認不能であり、フレキシブル透明シート基板の他方の面の側から反対側の景観を視認可能であるから、任意の場所に設置可能であって所定の動画または静止画を一方の面に表示することができることはもちろん、所定の動画または静止画を表示中に、フレキシブル透明シート基板の他方の面の側から反対側の景観を視認することができ、フレキシブル透明シート基板の他方の面の側から反対側の様子を知ることができるとともに、一方の面から反対側の景観を視認不能にすることによって、フレキシブル透明シート基板の他方の面の側の様子を隠すことができ、フレキシブル透明シート基板の他方の面の側をプライベートスペースやシークレットスペースにすることができる。ＬＥＤディスプレイは、フレキシブル透明シート基板の一方の面に所定の画像を表示することで、任意の場所に設置可能な宣伝用媒体として使用することができ、商品やサービスの各種情報を伝える伝達媒体として利用することができる。
【００１９】
フレキシブル透明シート基板の他方の面を片面または両面に取り付けた所定面積の透明な支持プレートを含み、複数のＬＥＤ素子を利用してフレキシブル透明シート基板の一方の面に所定の動画または静止画を表示中に、動画または静止画を表示中の支持プレートの面の側から反対側の景観を視認不能であり、動画または静止画を非表示中の支持プレートの面の側から反対側の景観を視認可能であるＬＥＤディスプレイは、任意の場所に設置可能であって所定の動画または静止画を支持プレートの片面または両面に表示することができることはもちろん、所定の動画または静止画を表示中に、動画または静止画を非表示中の支持プレートの面の側から反対側の景観を視認することができ、動画または静止画を非表示中の支持プレートの面の側から反対側の様子を知ることができるとともに、動画または静止画を表示中の支持プレートの面の側から反対側の景観を視認不能にすることによって、動画または静止画を非表示中の支持プレートの面の側の様子を隠すことができ、動画または静止画を非表示中の支持プレートの面の側をプライベートスペースやシークレットスペースにすることができる。ＬＥＤディスプレイは、ＬＥＤディスプレイは、支持プレートの両面や片面に所定の画像を表示することで、任意の場所に設置可能なポスターパネルや展示パネル、間仕切りパネル等の宣伝用のパネル板として使用することができ、商品やサービスの各種情報を伝える伝達媒体として利用することができる。
【００２０】
支持プレートがその前方と後方との少なくとも一方へ向かって凸となるように所定の曲率半径を有して円弧を画き、フレキシブル透明シート基板が支持プレートの曲率にあわせて円弧を画きつつ支持プレートに取り付けられているＬＥＤディスプレイは、支持プレートが所定の曲率半径で湾曲していたとしても、可撓性を有するフレキシブル透明シート基板をその曲率半径にあわせて湾曲させることができるから、所定の曲率半径で湾曲する支持プレートにフレキシブル透明シート基板を取り付けることができ、様々な湾曲形状のＬＥＤディスプレイを作ることができるとともに、様々に湾曲する支持プレートにおいてその片面または両面に所定の動画または静止画を表示することができる。ＬＥＤディスプレイは、所定の曲率半径で湾曲する支持プレートの両面や片面に所定の画像を表示することで、任意の場所に設置可能であって所定の曲率半径で湾曲するポスターパネルや展示パネル、間仕切りパネル等の宣伝用のパネル板として使用することができ、商品やサービスの各種情報を伝える伝達媒体として利用することができる。
【００２１】
請求項６に記載のＬＥＤディスプレイによれば、所定面積の可撓性を有する透明なフレキシブル透明シート基板およびフレキシブル透明シート基板の一方の面と他方の面とに設置されて所定パターンの画素を構成する複数のＬＥＤ素子から形成され、フレキシブル透明シート基板の一方の面と他方の面とのうちの少なくとも一面に所定の動画または静止画を表示中に、フレキシブル透明シート基板の一方の面の側から反対側の景観を視認可能であり、フレキシブル透明シート基板の他方の面の側から反対側の景観を視認可能であるから、任意の場所に設置可能であって所定の動画または静止画をフレキシブル透明シート基板の一方の面や他方の面に表示することができることはもちろん、所定の動画または静止画を表示中に、フレキシブル透明シート基板の一方の面の側と他方の面の側とから反対側の景観を見ることができ、閉塞感を与えることはなく、ＬＥＤディスプレイを利用することで開放的な環境において所定の動画または静止画を見せることができる。ＬＥＤディスプレイは、フレキシブル透明シート基板の一方の面と他方の面とのうちの少なくとも一面に所定の画像を表示することで、任意の場所に設置可能な宣伝用媒体として使用することができ、商品やサービスの各種情報を伝える伝達媒体として利用することができる。
【００２２】
フレキシブル透明シート基板の一方の面に対向する所定面積の透明な第１支持プレートと、フレキシブル透明シート基板の他方の面に対向する所定面積の透明な第２支持プレートとを含み、複数のＬＥＤ素子を利用してフレキシブル透明シート基板の一方の面と他方の面とのうちの少なくとも一面に所定の動画または静止画を表示中に、第１支持プレートの外面の側から反対側の景観を視認可能であり、第２支持プレートの外面の側から反対側の景観を視認可能であるＬＥＤディスプレイは、任意の場所に設置可能であって所定の動画または静止画を第１支持プレートや第２支持プレートの外面に表示することができることはもちろん、所定の動画または静止画を表示中に、第１支持プレートの外面の側から反対側の景観を視認することができ、第２支持プレートの外面の側から反対側の景観を視認することができ、閉塞感を与えることはなく、画像表示パネルを利用することで開放的な環境において所定の動画または静止画を見せることができる。ＬＥＤディスプレイは、第１支持プレートの外面や第２支持プレートの外面に所定の画像を表示することで、任意の場所に設置可能なポスターパネルや展示パネル、間仕切りパネル等の宣伝用のパネル板として使用することができ、商品やサービスの各種情報を伝える伝達媒体として利用することができる。
【００２３】
請求項８に記載のＬＥＤディスプレイによれば、所定面積の可撓性を有する透明なフレキシブル透明シート基板およびフレキシブル透明シート基板の一方の面と他方の面とに設置されて所定パターンの画素を構成する複数のＬＥＤ素子から形成され、フレキシブル透明シート基板の一方の面と他方の面とのうちの少なくとも一面に所定の動画または静止画を表示中に、動画または静止画を表示中のフレキシブル透明シート基板の面の側から反対側の景観を視認不能であり、動画または静止画を非表示中のフレキシブル透明シート基板の面の側から反対側の景観を視認可能であるから、任意の場所に設置可能であって所定の動画または静止画を一方の面や他方の面に表示することができることはもちろん、所定の動画または静止画を表示中に、動画または静止画を非表示中のフレキシブル透明シート基板の面の側から反対側の景観を視認することができ、動画または静止画を非表示中のフレキシブル透明シート基板の面の側から反対側の様子を知ることができるとともに、動画または静止画を表示中のフレキシブル透明シート基板の面の側から反対側の景観を視認不能にすることによって、動画または静止画を非表示中のフレキシブル透明シート基板の面の側の様子を隠すことができ、動画または静止画を非表示中のフレキシブル透明シート基板の面の側をプライベートスペースやシークレットスペースにすることができる。ＬＥＤディスプレイは、フレキシブル透明シート基板の一方の面と他方の面とのうちの少なくとも一面に所定の画像を表示することで、任意の場所に設置可能な宣伝用媒体として使用することができ、商品やサービスの各種情報を伝える伝達媒体として利用することができる。
【００２４】
フレキシブル透明シート基板の一方の面に対向する所定面積の透明な第１支持プレートと、フレキシブル透明シート基板の他方の面に対向する所定面積の透明な第２支持プレートとを含み、複数のＬＥＤ素子を利用してフレキシブル透明シート基板の一方の面と他方の面とのうちの少なくとも一面に所定の動画または静止画を表示中に、第１および第２支持プレートのうちの動画または静止画を表示中の支持プレートの面の側から反対側の景観を視認不能であり、第１および第２支持プレートのうちの動画または静止画を非表示中の支持プレートの面の側から反対側の景観を視認可能であるＬＥＤディスプレイは、任意の場所に設置可能であって所定の動画または静止画を第１支持プレートや第２支持プレートの外面に表示することができることはもちろん、所定の動画または静止画を表示中に、動画または静止画を非表示中の支持プレートの面の側から反対側の景観を視認することができ、動画または静止画を非表示中の支持プレートの面の側から反対側の様子を知ることができるとともに、動画または静止画を表示中の支持プレートの面の側から反対側の景観を視認不能にすることによって、動画または静止画を非表示中の支持プレートの面の側の様子を隠すことができ、動画または静止画を非表示中の支持プレートの面の側をプライベートスペースやシークレットスペースにすることができる。ＬＥＤディスプレイは、ＬＥＤディスプレイは、第１支持プレートの外面や第２支持プレートの外面に所定の画像を表示することで、任意の場所に設置可能なポスターパネルや展示パネル、間仕切りパネル等の宣伝用のパネル板として使用することができ、商品やサービスの各種情報を伝える伝達媒体として利用することができる。
【００２５】
第１支持プレートと第２支持プレートとがその前方と後方との少なくとも一方へ向かって凸となるように所定の曲率半径を有して円弧を画き、フレキシブル透明シート基板が第１支持プレートと第２支持プレートとの曲率にあわせて円弧を画きつつそれら支持プレートの間に配置されているＬＥＤディスプレイは、第１および第２支持プレートが所定の曲率半径で湾曲していたとしても、可撓性を有するフレキシブル透明シート基板をその曲率半径にあわせて湾曲させることができるから、所定の曲率半径で湾曲する第１および第２支持プレートの間にフレキシブル透明シート基板を配置することができ、様々な湾曲形状のＬＥＤディスプレイを作ることができるとともに、様々に湾曲する第１支持プレートや第２支持プレートの外面に所定の動画または静止画を表示することができる。ＬＥＤディスプレイは、所定の曲率半径で湾曲する第１支持プレートの外面や第２支持プレートの外面に所定の画像を表示することで、任意の場所に設置可能であって所定の曲率半径で湾曲するポスターパネルや展示パネル、間仕切りパネル等の宣伝用のパネル板として使用することができ、商品やサービスの各種情報を伝える伝達媒体として利用することができる。
【図面の簡単な説明】
【００２６】
【図１】一例として示すＬＥＤディスプレイの斜視図。
【図２】図１のＡ−Ａ線端面図。
【図３】他の一例として示すＬＥＤディスプレイの斜視図。
【図４】図３のＢ−Ｂ線端面図。
【図５】他の一例として示すＬＥＤディスプレイの斜視図。
【図６】他の一例として示すＬＥＤディスプレイの斜視図。
【図７】図６のＣ−Ｃ線端面図。
【図８】他の一例として示すＬＥＤディスプレイの斜視図。
【図９】図８のＤ−Ｄ線端面図。
【図１０】他の一例として示すＬＥＤディスプレイの斜視図。
【発明を実施するための形態】
【００２７】
一例として示すＬＥＤディスプレイ１０Ａの斜視図である図１等の添付の図面を参照し、本発明に係るＬＥＤディスプレイの詳細を説明すると、以下のとおりである。なお、図２は、図１のＡ−Ａ線端面図である。図１では、縦方向を矢印Ｘで示し、横方向を矢印Ｙで示す。図１に示すＬＥＤディスプレイ１０Ａは、所定面積の透明（無色透明または有色透明、なお、好ましくは無色透明）なフレキシブル透明シート基板１１と、フレキシブル透明シート基板１１の一方の面１２に配置された複数のＬＥＤ素子１４（ＬＥＤチップ）と、透明（無色透明または有色透明、なお、好ましくは無色透明）な紫外線遮蔽保護フィルム１５と、フレキシブル透明シート基板１１の端部１６に設置された電子制御モジュール（図示せず）とから形成されている。
【００２８】
フレキシブル透明シート基板１１は、合成樹脂（熱可塑性合成樹脂）から作られた可撓性を有する所定面積の透明なシート（プラスチックシート）であり、一方の面１２と他方の面１３とを有する。フレキシブル透明シート基板１１は、所定の曲率半径で円弧状に湾曲させることができるとともに、所定の角度で曲折する（折り曲げる）ことができる。したがって、ＬＥＤディスプレイ１０Ａが可撓性を有し、ＬＥＤディスプレイ１０Ａを所定の曲率半径で円弧状に湾曲させることができるとともに、所定の角度で曲折する（折り曲げる）ことができる。フレキシブル透明シート基板１１は、その厚み寸法が０．２〜１．５ｍｍの範囲にある。フレキシブル透明シート基板１１は、その平面形状が四角形に成形されているが、四角形のみならず、菱形や円形、楕円形等のあらゆる形状に成形することができる。
【００２９】
それらＬＥＤ素子１４は、フレキシブル透明シート基板１１の一方の面１２において縦方向へ等間隔離間して整然と並んでいるとともに、横方向へ等間隔離間して整然と並んでいる。それらＬＥＤ素子１４は、縦横方向へ並んだ状態でフレキシブル透明シート基板１１の一方の面１２に設置・固定されている。それらＬＥＤ素子１４は、それらが電気的に接続されているとともに、電子制御モジュールに電気的に接続されている。それらＬＥＤ素子は、光の３原色（Ｒ・Ｇ・Ｂ）に発光する。
【００３０】
それらＬＥＤ素子１４は、６０００〜１００００ｍｃｄの超高輝度であり、広指向角を有する。フレキシブル透明シート基板１１の単位面積（１０ｍｍ×１０ｍｍ）当たりに配置されるＬＥＤ素子１４の数は、１〜６個である。それらＬＥＤ素子１４は、所定の数毎（フレキシブル透明シート基板１１の所定の面積毎）にブロック化され、第１〜第ｎブロックを形成している。それらＬＥＤ素子１４は、フレキシブル透明シート基板１１の一方の面１２に配置されて所定パターンの画素を構成している。
【００３１】
紫外線遮蔽保護フィルム１５は、合成樹脂（熱可塑性合成樹脂）から作られた可撓性を有する透明なフィルム（プラスチックフィルム）であり、フレキシブル透明シート基板１１と略同形同大に成形されている。紫外線遮蔽保護フィルム１５は、フレキシブル透明シート基板１１の一方の面１２に配置され、所定の接合手段（接着剤や粘着テープ、縫製等）（図示せず）によってフレキシブル透明シート基板１１の一方の面１２に貼着されている。紫外線遮蔽保護フィルム１５は、フレキシブル透明シート基板１１の一方の面１２に配置されたそれらＬＥＤ素子１４を包被（被覆）している。紫外線遮蔽保護フィルム１５は、紫外線を遮蔽し、紫外線のそれらＬＥＤ素子１４への到達を阻止するとともに、それらＬＥＤ素子１４と外物との接触を防ぎ、それらＬＥＤ素子１４を損傷から保護する。
【００３２】
電子制御モジュールは、コントローラ（図示せず）に接続され、それらＬＥＤ素子１４を第１〜第ｎブロック毎に一纏めに制御する。電子制御モジュールは、それらＬＥＤ素子１４の発光色を第１〜第ｎブロック毎に調整しつつ発光色を第１〜第ｎブロック毎に時系列に変化させ、それらＬＥＤ素子１４の輝度を第１〜第ｎブロック毎に調整しつつ輝度を第１〜第ｎブロック毎に時系列に変化させる。ＬＥＤディスプレイ１０Ａでは、光の３原色（Ｒ・Ｇ・Ｂ）に発光するそれらＬＥＤ素子１４がフレキシブル透明シート基板１１にマウントされることで、それらＬＥＤ素子１４に各種複数の色彩（可視光）を表示（発光）させることができ、各種複数のフルカラーの動画（白黒を含む）または各種複数のフルカラーの静止画（白黒を含む）を連続的または間欠的に表示することができる。
【００３３】
コントローラは、中央処理部（ＣＰＵまたはＭＰＵ）とメモリ（メインメモリおよびキャッシュメモリ）とを有して独立したオペレーティングシステム（ＯＳ）によって動作するコンピュータであり、大容量記憶領域（大容量ハードディスク等）を内蔵している。コントローラには、テレビ受像器やビデオモニター、チューナー、ビデオカメラ、ビデオレコーダー、光学メディア等の各種複数の映像機器が接続されている。コントローラは、それら映像機器から送信された各種複数の映像を改変してＬＥＤディスプレイ１０Ａに表示する画像（動画または静止画）を作成し、作成した画像をＬＥＤディスプレイ１０Ａの電子制御モジュールに送信する。
【００３４】
ＬＥＤディスプレイ１０Ａでは、コントローラによって作成された画像（フルカラーの動画またはフルカラーの静止画）がコントローラから電子制御モジュールに送信され、電子制御モジュールがそれらＬＥＤ素子１４の発光色を調整しつつそれらＬＥＤ素子１４の輝度を調整することで、所定の画像（フルカラーの動画またはフルカラーの静止画）をフレキシブル透明シート基板１１の一方の面１２に表示する。
【００３５】
ＬＥＤディスプレイ１０Ａは、それを垂直面や湾曲面を有する透明な窓ガラスや垂直面や湾曲面を有する透明なポスターパネル、垂直面や湾曲面を有する透明な展示パネル、垂直面や湾曲面を有する透明な間仕切りパネルに設置し、フレキシブル透明シート基板１１の一方の面１２に所定の画像を表示することで、任意の場所に設置可能な宣伝用媒体として使用することができ、商品やサービスの各種情報を伝える伝達媒体として利用することができる。
【００３６】
ＬＥＤディスプレイ１０Ａは、フレキシブル透明シート基板１１が透明であるから、複数のＬＥＤ素子１４を利用してフレキシブル透明シート基板１１の一方の面１２に所定の動画または静止画を表示中に、フレキシブル透明シート基板１１（ＬＥＤディスプレイ１０Ａ）の一方の面１２の側から反対側の景観（景色）を視認することが可能であり、フレキシブル透明シート基板１１（ＬＥＤディスプレイ１０Ａ）の他方の面１３の側から反対側の景観（景色）を視認することが可能である。
【００３７】
所定の動画または静止画を表示中に、フレキシブル透明シート基板１１（ＬＥＤディスプレイ１０Ａ）の一方の面１２の側と他方の面１３の側とから反対側の景観（景色）を視認することが可能である場合、ＬＥＤディスプレイ１０Ａは、任意の場所に設置可能であって所定の動画または静止画をフレキシブル透明シート基板１１の一方の面１２に表示することができるのみならず、所定の動画または静止画を表示中に、フレキシブル透明シート基板１１の一方の面１２の側と他方の面１３の側とから反対側の景観を見ることができ、閉塞感を与えることはなく、ＬＥＤディスプレイ１０Ａを利用することで開放的な環境において所定の動画または静止画を見せることができる。
【００３８】
ＬＥＤディスプレイ１０Ａは、それらＬＥＤ素子１４の発光色（色彩）の濃度を高くし、それらＬＥＤ素子１４の輝度を高くすることで、それらＬＥＤ素子１４を利用してフレキシブル透明シート基板１１の一方の面１２に所定の動画または静止画を表示中に、フレキシブル透明シート基板１１の他方の面１３の側から反対側の景観を視認可能であるが、フレキシブル透明シート基板１１の一方の面１２の側から反対側の景観を視認不能にすることができる。
【００３９】
それらＬＥＤ素子１４を利用して所定の動画または静止画を表示中に、フレキシブル透明シート基板１１の他方の面１３の側から反対側の景観を視認可能であり、フレキシブル透明シート基板１１の一方の面１２の側から反対側の景観を視認不能である場合、ＬＥＤディスプレイ１０Ａは、任意の場所に設置可能であって所定の動画または静止画をフレキシブル透明シート基板１１の一方の面１２に表示することができるのみならず、所定の動画または静止画を表示中に、フレキシブル透明シート基板１１の他方の面１３の側から反対側の景観を視認することができ、フレキシブル透明シート基板１１の他方の面１３の側から反対側の様子を知ることができるとともに、フレキシブル透明シート基板１１の一方の面１２から反対側の景観を視認不能にすることによって、フレキシブル透明シート基板１１の他方の面１３の側の様子を隠すことができ、フレキシブル透明シート基板１１の他方の面１３の側をプライベートスペースやシークレットスペースにすることができる。
【００４０】
図３は、他の一例として示すＬＥＤディスプレイ１０Ｂの斜視図であり、図４は、図３のＢ−Ｂ線端面図である。図３では、縦方向を矢印Ｘで示し、横方向を矢印Ｙで示す。図３に示すＬＥＤディスプレイ１０Ｂは、所定面積の透明（無色透明または有色透明、なお、好ましくは無色透明）な２枚のフレキシブル透明シート基板１１ａ，１１ｂと、それらフレキシブル透明シート基板１１ａ，１１ｂの一方の面１２に配置された複数のＬＥＤ素子１４（ＬＥＤチップ）と、透明（無色透明または有色透明、なお、好ましくは無色透明）な紫外線遮蔽保護フィルム１５と、フレキシブル透明シート基板１１ａ，１１ｂの端部１６に設置された電子制御モジュール（図示せず）と、所定面積の透明（無色透明または有色透明、なお、好ましくは無色透明）な支持プレート１７とから形成されている。
【００４１】
それらフレキシブル透明シート基板１１ａ，１１ｂは、合成樹脂（熱可塑性合成樹脂）から作られた可撓性を有する所定面積の透明なシート（プラスチックシート）であり、一方の面１２と他方の面１３とを有する。フレキシブル透明シート基板１１ａ，１１ｂは、所定の曲率半径で円弧状に湾曲させることができるとともに、所定の角度で曲折する（折り曲げる）ことができる。それらフレキシブル透明シート基板１１ａ，１１ｂは、その厚み寸法が０．２〜１．５ｍｍの範囲にある。
【００４２】
それらＬＥＤ素子１４は、それらフレキシブル透明シート基板１１ａ，１１ｂの一方の面１２において縦方向へ等間隔離間して整然と並んでいるとともに、横方向へ等間隔離間して整然と並んでいる。それらＬＥＤ素子１４は、縦横方向へ並んだ状態でそれらフレキシブル透明シート基板１１ａ，１１ｂの一方の面１２に設置・固定されている。それらＬＥＤ素子１４は、それらが電気的に接続されているとともに、電子制御モジュールに電気的に接続されている。
【００４３】
それらＬＥＤ素子１４は、６０００〜１００００ｍｃｄの超高輝度であり、広指向角を有する。フレキシブル透明シート基板１１ａ，１１ｂの一方の面１２の単位面積（１０ｍｍ×１０ｍｍ）当たりに配置されるＬＥＤ素子１４の数は、１〜６個である。それらＬＥＤ素子１４は、所定の数毎（フレキシブル透明シート基板１１ａ，１１ｂの所定の面積毎）にブロック化され、第１〜第ｎブロックを形成している。それらＬＥＤ素子１４は、フレキシブル透明シート基板１１ａ，１１ｂの一方の面１２において所定パターンの画素を構成している。
【００４４】
紫外線遮蔽保護フィルム１５は、フレキシブル透明シート基板１１ａ，１１ｂと略同形同大に成形され、それらフレキシブル透明シート基板１１ａ，１１ｂの一方の面１２に取り付けられている。紫外線遮蔽保護フィルム１５は、図１のそれと同一であり、フレキシブル透明シート基板１１ａ，１１ｂの一方の面１２に配置されたそれらＬＥＤ素子１４を包被（被覆）し、紫外線のそれらＬＥＤ素子１４への到達を阻止するとともに、それらＬＥＤ素子１４と外物との接触を防ぎ、それらＬＥＤ素子１４を損傷から保護する。電子制御モジュールは、図１のそれと同一であり、コントローラ（図示せず）に接続されている。コントローラは、図１のそれと同一である。
【００４５】
支持プレート１７は、平坦な一方の面１８と平坦な他方の面１９とを有し、横方向と縦方向とへ直状に延びている。支持プレート１７は、合成樹脂（熱可塑性合成樹脂）から作られたプラスチック板であり、透明なアクリル板が使用されている。支持プレート１７には、アクリル板の他に、透明な塩化ビニール板や透明なポリカーボネート板、透明なＰＥＴ板を使用することもできる。支持プレート１７は、その厚み寸法が５〜１０ｍｍの範囲にある。支持プレート１７の上下端部２０，２１および両側縁部２２（周縁部）には、それら縁部２０〜２２を囲繞するフレーム２３が設置・固定されている。
【００４６】
支持プレート１７の一方の面１８には、一方のフレキシブル透明シート基板１１ａが配置されている。一方のフレキシブル透明シート基板１１ａは、その他方の面１３が所定の接合手段（接着剤や粘着テープ）（図示せず）によって支持プレート１７の一方の面１８に取り付けられている。一方のフレキシブル透明シート基板１１ａの電子制御モジュールを取り付けた端部１６は、支持プレート１７の上端部２０において折り曲げられ、支持プレート１７の上端面に位置している。
【００４７】
支持プレート１７の他方の面１９には、他方のフレキシブル透明シート基板１１ｂが配置されている。他方のフレキシブル透明シート基板１１ｂは、その他方の面１３が所定の接合手段（接着剤や粘着テープ）（図示せず）によって支持プレート１７の他方の面１９に取り付けられている。他方のフレキシブル透明シート基板１１ｂの電子制御モジュールを取り付けた端部１６は、支持プレート１７の下端部２１において折り曲げられ、支持プレート１７の下端面に位置している。なお、支持プレート１７の一方の面１８と他方の面１９とのいずれか一方（一面）のみにフレキシブル透明シート基板が取り付けられていてもよい。
【００４８】
ＬＥＤディスプレイ１０Ｂでは、コントローラによって作成された画像（フルカラーの動画またはフルカラーの静止画）がコントローラから電子制御モジュールに送信され、電子制御モジュールがそれらＬＥＤ素子１４の発光色を調整しつつそれらＬＥＤ素子１４の輝度を調整することで、所定の画像（フルカラーの動画またはフルカラーの静止画）をそれらフレキシブル透明シート基板１１ａ，１１ｂの一方の面１２に表示する。ＬＥＤディスプレイ１０Ｂでは、支持プレート１７の両面（一方の面１８および他方の面１９）に画像を表示することができる他、支持プレート１７の片面（一方の面１８と他方の面１９とのいずれか一面）のみに画像を表示することもできる。
【００４９】
ＬＥＤディスプレイ１０Ｂは、支持プレート１７の一方の面１８と他方の面１９との少なくとも一方（片面または両面）に所定の画像を表示することで、任意の場所に設置可能なポスターパネルや展示パネル、間仕切りパネル等の宣伝用のパネル板として使用することができ、商品やサービスの各種情報を伝える伝達媒体として利用することができる。
【００５０】
ＬＥＤディスプレイ１０Ｂは、それらフレキシブル透明シート基板１１ａ，１１ｂと支持プレート１７とが透明であるから、複数のＬＥＤ素子１４を利用してフレキシブル透明シート基板１１ａ，１１ｂのうちの少なくとも一方の基板１１ａ，１１ｂの一方の面１２に所定の動画または静止画を表示中に、支持プレート１７（ＬＥＤディスプレイ１０Ｂ）の一方の面１８の側から反対側（支持プレート１７の他方の面１９の側）の景観（景色）を視認することが可能であり、支持プレート１７（ＬＥＤディスプレイ１０Ｂ）の他方の面１９の側から反対側（支持プレート１７の一方の面１８の側）の景観（景色）を視認することが可能である。
【００５１】
所定の動画または静止画を表示中に、支持プレート１７（ＬＥＤディスプレイ１０Ｂ）の一方の面１８の側と他方の面１９の側とから反対側の景観（景色）を視認することが可能である場合、ＬＥＤディスプレイ１０Ｂは、任意の場所に設置可能であって所定の動画または静止画を支持プレート１７の片面または両面に表示することができるのみならず、支持プレート１７の一方の面１８の側から反対側の景観を視認することができ、支持プレート１７の他方の面１９の側から反対側の景観を視認することができ、閉塞感を与えることはなく、ＬＥＤディスプレイ１０Ｂを利用することで開放的な環境において所定の動画または静止画を見せることができる。
【００５２】
ＬＥＤディスプレイ１０Ｂは、それらＬＥＤ素子１４の発光色（色彩）の濃度を高くし、それらＬＥＤ素子１４の輝度を高くすることで、ＬＥＤ素子１４を利用してフレキシブル透明シート基板１１ａ，１１ｂの一方の面１２に所定の動画または静止画を表示中に、動画または静止画を非表示中の支持プレート１７の面の側から反対側の景観を視認可能であるが、動画または静止画を表示中の支持プレート１７の面の側から反対側の景観を視認不能にすることができる。
【００５３】
それらＬＥＤ素子１４を利用してフレキシブル透明シート基板１１ａ，１１ｂの一方の面１２に所定の動画または静止画を表示中に、動画または静止画を表示中の支持プレート１７の面の側から反対側の景観を視認不能であり、動画または静止画を非表示中の支持プレート１７の面の側から反対側の景観を視認可能である場合、ＬＥＤディスプレイ１０Ｂは、任意の場所に設置可能であって所定の動画または静止画を支持プレート１７の片面または両面に表示することができるのみならず、所定の動画または静止画を表示中に、動画または静止画を非表示中の支持プレート１７の面の側から反対側の景観を視認することができ、動画または静止画を非表示中の支持プレート１７の面の側から反対側の様子を知ることができるとともに、動画または静止画を表示中の支持プレート１７の面の側から反対側の景観を視認不能にすることによって、動画または静止画を非表示中の支持プレート１７の面の側の様子を隠すことができ、動画または静止画を非表示中の支持プレート１７の面の側をプライベートスペースやシークレットスペースにすることができる。
【００５４】
図５は、他の一例として示すＬＥＤディスプレイ１０Ｃの斜視図である。図５に示すＬＥＤディスプレイ１０Ｃは、所定面積の透明（無色透明または有色透明、なお、好ましくは無色透明）な２枚のフレキシブル透明シート基板１１ａ，１１ｂと、それらフレキシブル透明シート基板１１ａ，１１ｂの一方の面１２に配置された複数のＬＥＤ素子１４（ＬＥＤチップ）と、透明（無色透明または有色透明、なお、好ましくは無色透明）な紫外線遮蔽保護フィルム１５と、フレキシブル透明シート基板１１ａ，１１ｂの端部１６に設置された電子制御モジュール（図示せず）と、所定面積の透明（無色透明または有色透明、なお、好ましくは無色透明）な支持プレート１７とから形成されている。
【００５５】
それらフレキシブル透明シート基板１１ａ，１１ｂやそれらＬＥＤ素子１４は、図１や図３のそれらと同一である。紫外線遮蔽保護フィルム１５は、フレキシブル透明シート基板１１ａ，１１ｂと略同形同大に成形され、それらフレキシブル透明シート基板１１ａ，１１ｂの一方の面１２に取り付けられている。紫外線遮蔽保護フィルム１５は、図１のそれと同一であり、フレキシブル透明シート基板１１ａ，１１ｂの一方の面１２に配置されたそれらＬＥＤ素子１４を包被（被覆）し、紫外線のそれらＬＥＤ素子１４への到達を阻止するとともに、それらＬＥＤ素子１４と外物との接触を防ぎ、それらＬＥＤ素子１４を損傷から保護する。電子制御モジュールは、図１のそれと同一であり、コントローラ（図示せず）に接続されている。コントローラは、図１のそれと同一である。
【００５６】
支持プレート１７は、所定の曲率半径で湾曲する一方の面１８と所定の曲率半径で湾曲する他方の面１９とを有し、その前方へ向かって凸となるように所定の曲率半径を有して円弧を画いている。支持プレート１７は、合成樹脂（熱可塑性合成樹脂）から作られたプラスチック板であり、透明なアクリル板が使用されている。支持プレート１７には、アクリル板の他に、透明な塩化ビニール板や透明なポリカーボネート板、透明なＰＥＴ板を使用することもできる。支持プレート１７は、その厚み寸法が５〜１０ｍｍの範囲にある。支持プレート１７の上下端部２０，２１および両側縁部２２（周縁部）には、それら縁部２０〜２２を囲繞するフレーム２３が設置・固定されている。
【００５７】
支持プレート１７の一方の面１８には、一方のフレキシブル透明シート基板１１ａが配置されている。一方のフレキシブル透明シート基板１１ａは、支持プレート１７の一方の面１８の曲率にあわせて前方へ向かって凸となるように所定の曲率半径で円弧を画き、その他方の面１３が所定の接合手段（接着剤や粘着テープ）（図示せず）によって支持プレート１７の一方の面１８に取り付けられている。一方のフレキシブル透明シート基板１１ａの電子制御モジュールを取り付けた端部１６は、支持プレート１７の上端部２０において折り曲げられ、支持プレート１７の上端面に位置している。
【００５８】
支持プレート１７の他方の面１９には、他方のフレキシブル透明シート基板１１ｂが配置されている。他方のフレキシブル透明シート基板１１ｂは、支持プレート１７の他方の面１９の曲率にあわせて前方へ向かって凸となるように所定の曲率半径で円弧を画き、その他方の面１３が所定の接合手段（接着剤や粘着テープ）（図示せず）によって支持プレート１７の他方の面１９に取り付けられている。他方のフレキシブル透明シート基板１１ｂの電子制御モジュールを取り付けた端部１６は、支持プレート１７の下端部２１において折り曲げられ、支持プレート１７の下端面に位置している。なお、支持プレート１７の一方の面１８と他方の面１９とのいずれか一方（一面）のみにフレキシブル透明シート基板が取り付けられていてもよい。
【００５９】
ＬＥＤディスプレイ１０Ｃでは、コントローラによって作成された画像（フルカラーの動画またはフルカラーの静止画）がコントローラから電子制御モジュールに送信され、電子制御モジュールがそれらＬＥＤ素子１４の発光色を調整しつつそれらＬＥＤ素子１４の輝度を調整することで、所定の画像（フルカラーの動画またはフルカラーの静止画）をフレキシブル透明シート基板１１ａ，１１ｂの一方の面１２に表示する。ＬＥＤディスプレイ１０Ｃでは、所定の曲率半径で湾曲する支持プレート１７の両面（一方の面１８および他方の面１９）に画像を表示することができる他、支持プレート１７の片面（一方の面１８と他方の面１９とのいずれか一面）のみに画像を表示することもできる。
【００６０】
ＬＥＤディスプレイ１０Ｃは、所定の曲率半径で湾曲する支持プレート１７の両面や片面に所定の画像を表示することで、任意の場所に設置可能であって所定の曲率半径で湾曲するポスターパネルや展示パネル、間仕切りパネル等の宣伝用のパネル板として使用することができ、商品やサービスの各種情報を伝える伝達媒体として利用することができる。
【００６１】
ＬＥＤディスプレイ１０Ｃは、所定の曲率半径で湾曲するそれらフレキシブル透明シート基板１１ａ，１１ｂと所定の曲率半径で湾曲する支持プレート１７とが透明であるから、複数のＬＥＤ素子１４を利用してフレキシブル透明シート基板１１ａ，１１ｂのうちの少なくとも一方の基板１１ａ，１１ｂの一方の面１２に所定の動画または静止画を表示中に、支持プレート１７（ＬＥＤディスプレイ１０Ｃ）の一方の面１８の側から反対側（支持プレート１７の他方の面１９の側）の景観（景色）を視認することが可能であり、支持プレート１７（ＬＥＤディスプレイ１０Ｃ）の他方の面１９の側から反対側（支持プレート１７の一方の面１８の側）の景観（景色）を視認することが可能である。
【００６２】
所定の動画または静止画を表示中に、所定の曲率半径で湾曲する支持プレート１７（ＬＥＤディスプレイ１０Ｃ）の一方の面１８の側と他方の面１９の側とから反対側の景観（景色）を視認することが可能である場合、ＬＥＤディスプレイ１０Ｃは、任意の場所に設置可能であって所定の動画または静止画を所定の曲率半径で湾曲する支持プレート１７の片面または両面に表示することができるのみならず、所定の動画または静止画を表示中に、支持プレート１７の一方の面１８の側から反対側の景観を視認することができ、支持プレート１７の他方の面１９の側から反対側の景観を視認することができ、閉塞感を与えることはなく、ＬＥＤディスプレイ１０Ｃを利用することで開放的な環境において所定の動画または静止画を見せることができる。
【００６３】
ＬＥＤディスプレイ１０Ｃは、それらＬＥＤ素子１４の発光色（色彩）の濃度を高くし、それらＬＥＤ素子１４の輝度を高くすることで、ＬＥＤ素子１４を利用してフレキシブル透明シート基板１１ａ，１１ｂの一方の面１２に所定の動画または静止画を表示中に、動画または静止画を非表示中の支持プレート１７の面の側から反対側の景観を視認可能であるが、動画または静止画を表示中の支持プレート１７の面の側から反対側の景観を視認不能にすることができる。
【００６４】
それらＬＥＤ素子１４を利用してフレキシブル透明シート基板１１ａ，１１ｂの一方の面１２に所定の動画または静止画を表示中に、動画または静止画を表示中の支持プレート１７の面の側から反対側の景観を視認不能であり、動画または静止画を非表示中の支持プレート１７の面の側から反対側の景観を視認可能である場合、ＬＥＤディスプレイ１０Ｃは、任意の場所に設置可能であって所定の動画または静止画を所定の曲率半径で湾曲する支持プレート１７の片面または両面に表示することができるのみならず、所定の動画または静止画を表示中に、動画または静止画を非表示中の支持プレート１７の面の側から反対側の景観を視認することができ、動画または静止画を非表示中の支持プレート１７の面の側から反対側の様子を知ることができるとともに、動画または静止画を表示中の支持プレート１７の面の側から反対側の景観を視認不能にすることによって、動画または静止画を非表示中の支持プレート１７の面の側の様子を隠すことができ、動画または静止画を非表示中の支持プレート１７の面の側をプライベートスペースやシークレットスペースにすることができる。
【００６５】
ＬＥＤディスプレイ１０Ｃは、支持プレート１７が所定の曲率半径で湾曲していたとしても、可撓性を有するフレキシブル透明シート基板１１ａ，１１ｂをその曲率半径にあわせて湾曲させることができるから、所定の曲率半径で湾曲する支持プレート１７にフレキシブル透明シート基板１１ａ，１１ｂを取り付けることができ、様々な湾曲形状のＬＥＤディスプレイ１０Ｃを作ることができるとともに、様々に湾曲する支持プレート１７においてその片面または両面に所定の動画または静止画を表示することができる。
【００６６】
図６は、他の一例として示すＬＥＤディスプレイ１０Ｄの斜視図であり、図７は、図６のＣ−Ｃ線端面図である。図６では、縦方向を矢印Ｘで示し、横方向を矢印Ｙで示す。図６に示すＬＥＤディスプレイ１０Ｄは、所定面積の透明（無色透明または有色透明、なお、好ましくは無色透明）なフレキシブル透明シート基板１１と、フレキシブル透明シート基板１１の一方の面１２と他方の面１３とに配置された複数のＬＥＤ素子１４（ＬＥＤチップ）と、透明（無色透明または有色透明、なお、好ましくは無色透明）な紫外線遮蔽保護フィルム１５と、フレキシブル透明シート基板１１の端部１６に設置された電子制御モジュール（図示せず）とから形成されている。
【００６７】
フレキシブル透明シート基板１１は、合成樹脂（熱可塑性合成樹脂）から作られた可撓性を有する所定面積の透明なシート（プラスチックシート）であり、所定の曲率半径で円弧状に湾曲させることができるとともに、所定の角度で曲折する（折り曲げる）ことができる。したがって、ＬＥＤディスプレイ１０Ｄが可撓性を有し、ＬＥＤディスプレイ１０Ｄを所定の曲率半径で円弧状に湾曲させることができるとともに、所定の角度で曲折する（折り曲げる）ことができる。フレキシブル透明シート基板１１は、その厚み寸法が０．２〜１．５ｍｍの範囲にある。
【００６８】
それらＬＥＤ素子１４は、フレキシブル透明シート基板１１の一方の面１２と他方の面１３とにおいて縦方向へ等間隔離間して整然と並んでいるとともに、横方向へ等間隔離間して整然と並んでいる。それらＬＥＤ素子１４は、縦横方向へ並んだ状態でフレキシブル透明シート基板１１の一方の面１２と他方の面１３とに設置・固定されている。それらＬＥＤ素子１４は、それらが電気的に接続されているとともに、電子制御モジュールに電気的に接続されている。
【００６９】
それらＬＥＤ素子１４は、６０００〜１００００ｍｃｄの超高輝度であり、広指向角を有する。フレキシブル透明シート基板１１の一方の面１２と他方の面１３との単位面積（１０ｍｍ×１０ｍｍ）当たりに配置されるＬＥＤ素子１４の数は、１〜６個である。それらＬＥＤ素子１４は、所定の数毎（フレキシブル透明シート基板１１の所定の面積毎）にブロック化され、第１〜第ｎブロックを形成している。それらＬＥＤ素子１４は、フレキシブル透明シート基板１１の一方の面１２と他方の面１３とにおいて所定パターンの画素を構成している。
【００７０】
紫外線遮蔽保護フィルム１５は、合成樹脂（熱可塑性合成樹脂）から作られた可撓性を有する透明なフィルム（プラスチックフィルム）であり、フレキシブル透明シート基板１１と略同形同大に成形されている。紫外線遮蔽保護フィルム１５は、フレキシブル透明シート基板１１の一方の面１２と他方の面１３とに配置され、所定の接合手段（接着剤や粘着テープ、縫製等）（図示せず）によってフレキシブル透明シート基板１１の一方の面１２と他方の面１３とに貼着されている。紫外線遮蔽保護フィルム１５は、フレキシブル透明シート基板１１の一方の面１２と他方の面１３とに配置されたそれらＬＥＤ素子１４を包被（被覆）している。紫外線遮蔽保護フィルム１５は、紫外線を遮蔽し、紫外線のそれらＬＥＤ素子１４への到達を阻止するとともに、それらＬＥＤ素子１４と外物との接触を防ぎ、それらＬＥＤ素子１４を損傷から保護する。電子制御モジュールは、図１のそれと同一であり、コントローラ（図示せず）に接続されている。コントローラは、図１のそれと同一である。
【００７１】
ＬＥＤディスプレイ１０Ｄでは、コントローラによって作成された画像（フルカラーの動画またはフルカラーの静止画）がコントローラから電子制御モジュールに送信され、電子制御モジュールがそれらＬＥＤ素子１４の発光色を調整しつつそれらＬＥＤ素子１４の輝度を調整することで、所定の画像（フルカラーの動画またはフルカラーの静止画）をフレキシブル透明シート基板１１の一方の面１２と他方の面１３とに表示する。ＬＥＤディスプレイ１０Ｄでは、フレキシブル透明シート基板１１の両面（一方の面１２および他方の面１３）に画像を表示することができる他、フレキシブル透明シート基板１１の片面（一方の面１２と他方の面１３とのいずれか一面）のみに画像を表示することもできる。
【００７２】
ＬＥＤディスプレイ１０Ｄは、それを垂直面や湾曲面を有する透明な窓ガラスや垂直面や湾曲面を有する透明なポスターパネル、垂直面や湾曲面を有する透明な展示パネル、垂直面や湾曲面を有する透明な間仕切りパネルに設置し、フレキシブル透明シート基板の一方の面に所定の画像を表示することで、任意の場所に設置可能な宣伝用媒体として使用することができ、商品やサービスの各種情報を伝える伝達媒体として利用することができる。
【００７３】
ＬＥＤディスプレイ１０Ｄは、フレキシブル透明シート基板１１が透明であるから、複数のＬＥＤ素子１４を利用してフレキシブル透明シート基板１１の一方の面１２と他方の面１３とのうちの少なくとも一面（フレキシブル透明シート基板１１の両面または片面）に所定の動画または静止画を表示中に、フレキシブル透明シート基板１１（ＬＥＤディスプレイ１０Ｄ）の一方の面１２の側から反対側（フレキシブル透明シート基板１１の他方の面１３の側）の景観（景色）を視認することが可能であり、フレキシブル透明シート基板１１（ＬＥＤディスプレイ１０Ｄ）の他方の面１３の側から反対側（フレキシブル透明シート基板１１の一方の面１２の側）の景観（景色）を視認することが可能である。
【００７４】
所定の動画または静止画を表示中に、フレキシブル透明シート基板１１（ＬＥＤディスプレイ１０Ｄ）の一方の面１２の側と他方の面１３の側とから反対側の景観（景色）を視認することが可能である場合、ＬＥＤディスプレイ１０Ｄは、任意の場所に設置可能であって所定の動画または静止画をフレキシブル透明シート基板１１の一方の面１２と他方の面１３とのうちの少なくとも一面に表示することができるのみならず、所定の動画または静止画を表示中に、フレキシブル透明シート基板１１の一方の面１２の側と他方の面１３の側とから反対側の景観を見ることができ、閉塞感を与えることはなく、ＬＥＤディスプレイ１０Ｄを利用することで開放的な環境において所定の動画または静止画を見せることができる。
【００７５】
ＬＥＤディスプレイ１０Ｄは、それらＬＥＤ素子１４の発光色（色彩）の濃度を高くし、それらＬＥＤ素子１４の輝度を高くすることで、それらＬＥＤ素子１４を利用してフレキシブル透明シート基板１１の一方の面１２と他方の面１３とのうちの少なくとも一面に所定の動画または静止画を表示中に、動画または静止画を非表示中のフレキシブル透明シート基板１１の面の側から反対側の景観を視認可能であるが、動画または静止画を表示中のフレキシブル透明シート基板１１の面の側から反対側の景観を視認不能にすることができる。
【００７６】
それらＬＥＤ素子１４を利用して所定の動画または静止画を表示中に、動画または静止画を表示中のフレキシブル透明シート基板１１の面の側から反対側の景観を視認不能であり、動画または静止画を非表示中のフレキシブル透明シート基板１１の面の側から反対側の景観を視認可能である場合、ＬＥＤディスプレイ１０Ｄは、任意の場所に設置可能であって所定の動画または静止画をフレキシブル透明シート基板１１の一方の面１２と他方の面１３とのうちの少なくとも一面に表示することができるのみならず、所定の動画または静止画を表示中に、動画または静止画を非表示中のフレキシブル透明シート基板１１の面の側から反対側の景観を視認することができ、動画または静止画を非表示中のフレキシブル透明シート基板１１の面の側から反対側の様子を知ることができるとともに、動画または静止画を表示中のフレキシブル透明シート基板１１の面の側から反対側の景観を視認不能にすることによって、動画または静止画を非表示中のフレキシブル透明シート基板１１の面の側の様子を隠すことができ、動画または静止画を非表示中のフレキシブル透明シート基板１１の面の側をプライベートスペースやシークレットスペースにすることができる。
【００７７】
図８は、他の一例として示すＬＥＤディスプレイ１０Ｅの斜視図であり、図９は、図８のＤ−Ｄ線端面図である。図８では、縦方向を矢印Ｘで示し、横方向を矢印Ｙで示す。図８に示すＬＥＤディスプレイ１０Ｅは、所定面積の透明（無色透明または有色透明、なお、好ましくは無色透明）なフレキシブル透明シート基板１１と、フレキシブル透明シート基板１１の一方の面１２と他方の面１３とに配置された複数のＬＥＤ素子１４（ＬＥＤチップ）と、透明（無色透明または有色透明、なお、好ましくは無色透明）な紫外線遮蔽保護フィルム１５と、フレキシブル透明シート基板１１の端部１６に設置された電子制御モジュール（図示せず）と、所定面積の透明（無色透明または有色透明、なお、好ましくは無色透明）な第１支持プレート１７ａと、所定面積の透明（無色透明または有色透明、なお、好ましくは無色透明）な第２支持プレート１７ｂとから形成されている。
【００７８】
フレキシブル透明シート基板１１は、合成樹脂（熱可塑性合成樹脂）から作られた可撓性を有する所定面積の透明なシート（プラスチックシート）であり、所定の曲率半径で円弧状に湾曲させることができるとともに、所定の角度で曲折する（折り曲げる）ことができる。フレキシブル透明シート基板１１は、その厚み寸法が０．２〜１．５ｍｍの範囲にある。それらＬＥＤ素子１４は、フレキシブル透明シート基板１１の一方の面１２と他方の面１３とにおいて縦方向へ等間隔離間して整然と並んでいるとともに、横方向へ等間隔離間して整然と並んでいる。それらＬＥＤ素子１４は、縦横方向へ並んだ状態でフレキシブル透明シート基板１１の一方の面１２と他方の面１３とに設置・固定されている。それらＬＥＤ素子１４は、それらが電気的に接続されているとともに、電子制御モジュールに電気的に接続されている。
【００７９】
それらＬＥＤ素子１４は、６０００〜１００００ｍｃｄの超高輝度であり、広指向角を有する。フレキシブル透明シート基板１１の一方の面１２と他方の面１３との単位面積（１０ｍｍ×１０ｍｍ）当たりに配置されるＬＥＤ素子１４の数は、１〜６個である。それらＬＥＤ素子１４は、所定の数毎（フレキシブル透明シート基板１１の所定の面積毎）にブロック化され、第１〜第ｎブロックを形成している。それらＬＥＤ素子１４は、フレキシブル透明シート基板１１の一方の面１２と他方の面１３とにおいて所定パターンの画素を構成している。
【００８０】
紫外線遮蔽保護フィルム１５は、フレキシブル透明シート基板１１と略同形同大に成形され、それらフレキシブル透明シート基板１１の一方の面１２と他方の面１３とに取り付けられている。紫外線遮蔽保護フィルム１５は、図１のそれと同一であり、フレキシブル透明シート基板１１の一方の面１２と他方の面１３とに配置されたそれらＬＥＤ素子１４を包被（被覆）し、紫外線のそれらＬＥＤ素子１４への到達を阻止するとともに、それらＬＥＤ素子１４と外物との接触を防ぎ、それらＬＥＤ素子１４を損傷から保護する。電子制御モジュールは、図１のそれと同一であり、コントローラ（図示せず）に接続されている。コントローラは、図１のそれと同一である。
【００８１】
第１支持プレート１７ａおよび第２支持プレート１７ｂは、平坦な一方の面１８（外面）と平坦な他方の面１９（内面）とを有し、横方向と縦方向とへ直状に延びている。第１支持プレート１７ａおよび第２支持プレート１７ｂは、合成樹脂（熱可塑性合成樹脂）から作られたプラスチック板であり、透明なアクリル板が使用されている。それら支持プレート１７ａ，１７ｂには、アクリル板の他に、透明な塩化ビニール板や透明なポリカーボネート板、透明なＰＥＴ板を使用することもできる。それら支持プレート１７ａ，１７ｂは、その厚み寸法が５〜１０ｍｍの範囲にある。それら支持プレート１７ａ，１７ｂの上下端部２０，２１および両側縁部２２（周縁部）には、それら縁部２０〜２２を囲繞するフレーム２３が設置されている。
【００８２】
第１支持プレート１７ａの他方の面１９と第２支持プレート１７ｂの他方の面１９との間には、フレキシブル透明シート基板１１が配置され、第１支持プレート１７ａがフレキシブル透明シート基板１１の一方の面１２に対向し、第２支持プレート１７ｂがフレキシブル透明シート基板１１の他方の面１３に対向している。フレキシブル透明シート基板１１は、その一方の面１２が所定の接合手段（接着剤や粘着テープ）（図示せず）によって第１支持プレート１７ａの他方の面１９（内面）に取り付けられ、その他方の面１３が所定の接合手段（接着剤や粘着テープ）（図示せず）によって第２支持プレート１７ｂの他方の面１９（内面）に取り付けられている。フレキシブル透明シート基板１１の電子制御モジュールを取り付けた端部１６は、第１支持プレート１７ａの上端部２０において折り曲げられ、第１支持プレート１７ａの上端面に位置している。
【００８３】
ＬＥＤディスプレイ１０Ｅでは、コントローラによって作成された画像（フルカラーの動画またはフルカラーの静止画）がコントローラから電子制御モジュールに送信され、電子制御モジュールがそれらＬＥＤ素子１４の発光色を調整しつつそれらＬＥＤ素子１５の輝度を調整することで、所定の画像（フルカラーの動画またはフルカラーの静止画）を第１支持プレート１７ａと第２支持プレート１７ｂとの外面（一方の面１８）（フレキシブル透明シート基板１１の一方の面１２および他方の面１３）に表示する。ＬＥＤディスプレイ１０Ｄでは、それら支持プレート１７ａ，１７ｂの外面（一方の面１８）（フレキシブル透明シート基板１１の両面）に画像を表示することができる他、第１支持プレート１７ａと第２支持プレート１７ｂとのうちのいずれかの外面（一方の面１８）（フレキシブル透明シート基板１１の片面）のみに画像を表示することもできる。
【００８４】
ＬＥＤディスプレイ１０Ｅは、第１支持プレート１７ａと第２支持プレート１７ｂとのうちの少なくとも一方の外面（一方の面１８）（フレキシブル透明シート基板１１の一方の面１２と他方の面１３とのうちの少なくとも一面）に所定の画像を表示することで、任意の場所に設置可能なポスターパネルや展示パネル、間仕切りパネル等の宣伝用のパネル板として使用することができ、商品やサービスの各種情報を伝える伝達媒体として利用することができる。
【００８５】
ＬＥＤディスプレイ１０Ｅは、フレキシブル透明シート基板１１と第１および第２支持プレート１７ａ，１７ｂとが透明であるから、複数のＬＥＤ素子１４を利用してフレキシブル透明シート基板１１の一方の面１２と他方の面１３との少なくとも一面（第１支持プレート１７ａと第２支持プレート１７ｂとのうちの少なくとも一方の外面）に所定の動画または静止画を表示中に、第１支持プレート１７ａ（ＬＥＤディスプレイ１０Ｅ）の外面（一方の面１８）の側から反対側（第２支持プレート１７ｂの外面の側）の景観（景色）を視認することが可能であり、第２支持プレート１７ｂ（ＬＥＤディスプレイ１０Ｅ）の外面（一方の面１８）の側から反対側（第１支持プレート１７ａの外面の側）の景観（景色）を視認することが可能である。
【００８６】
所定の動画または静止画を表示中に、第１支持プレート１７ａ（ＬＥＤディスプレイ１０Ｅ）の外面の側から反対側の景観（景色）を視認することが可能であり、第２支持プレート１７ｂ（ＬＥＤディスプレイ１０Ｅ）の外面の側から反対側の景観（景色）を視認することが可能である場合、ＬＥＤディスプレイ１０Ｅは、任意の場所に設置可能であって所定の動画または静止画を第１支持プレート１７ａと第２支持プレート１７ｂとのうちの少なくとも一方の外面（一方の面１８）に表示することができるのみならず、所定の動画または静止画を表示中に、第１支持プレート１７ａの外面の側から反対側の景観を視認することができ、第２支持プレート１７ｂの外面の側から反対側の景観を視認することができ、閉塞感を与えることはなく、ＬＥＤディスプレイ１０Ｅを利用することで開放的な環境において所定の動画または静止画を見せることができる。
【００８７】
ＬＥＤディスプレイ１０Ｅは、それらＬＥＤ素子１４の発光色（色彩）の濃度を高くし、それらＬＥＤ素子１４の輝度を高くすることで、それらＬＥＤ素子１４を利用してフレキシブル透明シート基板１１の一方の面１２と他方の面１３とのうちの少なくとも一面に所定の動画または静止画を表示中に、第１および第２支持プレート１７ａ，１７ｂのうちの動画または静止画を非表示中の支持プレート１７ａ，１７ｂの外面（面）の側から反対側の景観を視認可能であるが、第１および第２支持プレート１７ａ，１７ｂのうちの動画または静止画を表示中の支持プレート１７ａ，１７ｂの外面（面）の側から反対側の景観を視認不能にすることができる。
【００８８】
それらＬＥＤ素子１４を利用して所定の動画または静止画を表示中に、第１および第２支持プレート１７ａ，１７ｂのうちの動画または静止画を表示中の支持プレート１７ａ，１７ｂの外面（一方の面１８）の側から反対側の景観を視認不能であり、第１および第２支持プレート１７ａ，１７ｂのうちの動画または静止画を非表示中の支持プレート１７ａ，１７ｂの外面（一方の面１８）の側から反対側の景観を視認可能である場合、ＬＥＤディスプレイ１０Ｅは、任意の場所に設置可能であって所定の動画または静止画を第１支持プレート１７ａと第２支持プレート１７ｂとのうちの少なくとも一方の外面に表示することができるのみならず、所定の動画または静止画を表示中に、動画または静止画を非表示中の支持プレート１７ａ，１７ｂの面の側から反対側の景観を視認することができ、動画または静止画を非表示中の支持プレート１７ａ，１７ｂの面の側から反対側の様子を知ることができるとともに、動画または静止画を表示中の支持プレート１７ａ，１７ｂの面の側から反対側の景観を視認不能にすることによって、動画または静止画を非表示中の支持プレート１７ａ，１７ｂの面の側の様子を隠すことができ、動画または静止画を非表示中の支持プレート１７ａ，１７ｂの面の側をプライベートスペースやシークレットスペースにすることができる。
【００８９】
図１０は、他の一例として示すＬＥＤディスプレイ１０Ｆの斜視図である。図１０に示すＬＥＤディスプレイ１０Ｆは、所定面積の透明（無色透明または有色透明、なお、好ましくは無色透明）なフレキシブル透明シート基板１１と、フレキシブル透明シート基板１１の一方の面１２と他方の面１３とに配置された複数のＬＥＤ素子１４（ＬＥＤチップ）と、透明（無色透明または有色透明、なお、好ましくは無色透明）な紫外線遮蔽保護フィルム１５と、フレキシブル透明シート基板１１の端部１６に設置された電子制御モジュール（図示せず）と、所定面積の透明（無色透明または有色透明、なお、好ましくは無色透明）な第１支持プレート１７ａと、所定面積の透明（無色透明または有色透明、なお、好ましくは無色透明）な第２支持プレート１７ｂとから形成されている。
【００９０】
フレキシブル透明シート基板１１やそれらＬＥＤ素子１４は、図６や図８のそれらと同一である。紫外線遮蔽保護フィルム１５は、フレキシブル透明シート基板１１と略同形同大に成形され、フレキシブル透明シート基板１１の一方の面１２と他方の面１３とに取り付けられている。紫外線遮蔽保護フィルム１５は、図１のそれと同一であり、フレキシブル透明シート基板１１の一方の面１２と他方の面１３とに配置されたそれらＬＥＤ素子１４を包被（被覆）し、紫外線のそれらＬＥＤ素子１４への到達を阻止するとともに、それらＬＥＤ素子１４と外物との接触を防ぎ、それらＬＥＤ素子１４を損傷から保護する。電子制御モジュールは、図１のそれと同一であり、コントローラ（図示せず）に接続されている。コントローラは、図１のそれと同一である。
【００９１】
第１支持プレート１７ａおよび第２支持プレート１７ｂは、所定の曲率半径で湾曲する一方の面１８と所定の曲率半径で湾曲する他方の面１９とを有し、その前方へ向かって凸となるように所定の曲率半径を有して円弧を画いている。第１支持プレート１７ａおよび第２支持プレート１７ｂは、合成樹脂（熱可塑性合成樹脂）から作られたプラスチック板であり、透明なアクリル板が使用されている。それら支持プレート１７ａ，１７ｂには、アクリル板の他に、透明な塩化ビニール板や透明なポリカーボネート板、透明なＰＥＴ板を使用することもできる。それら支持プレート１７ａ，１７ｂは、その厚み寸法が５〜１０ｍｍの範囲にある。支持プレート１７ａ，１７ｂの上下端部２０，２１および両側縁部２２（周縁部）には、それら縁部２０〜２２を囲繞するフレーム２３が設置・固定されている。
【００９２】
第１支持プレート１７ａの他方の面１９と第２支持プレート１７ｂの他方の面１９との間には、フレキシブル透明シート基板１１が配置され、第１支持プレート１７ａがフレキシブル透明シート基板１１の一方の面１２に対向し、第２支持プレート１７ｂがフレキシブル透明シート基板１１の他方の面１３に対向している。フレキシブル透明シート基板１１は、第１支持プレート１７ａの他方の面１９と第２支持プレート１７ｂの他方の面１９との曲率にあわせて前方へ向かって凸となるように所定の曲率半径で円弧を画いている。
【００９３】
フレキシブル透明シート基板１１は、前方へ向かって湾曲した状態でその一方の面１２が所定の接合手段（接着剤や粘着テープ）（図示せず）によって第１支持プレート１７ａの他方の面１９（内面）に取り付けられ、その他方の面１３が所定の接合手段（接着剤や粘着テープ）（図示せず）によって第２支持プレート１７ｂの他方の面１９（内面）に取り付けられている。フレキシブル透明シート基板１１の電子制御モジュールを取り付けた端部１６は、第１支持プレート１７ａの上端部２０において折り曲げられ、第１支持プレート１７ａの上端面に位置している。
【００９４】
ＬＥＤディスプレイ１０Ｆでは、コントローラによって作成された画像（フルカラーの動画またはフルカラーの静止画）がコントローラから電子制御モジュールに送信され、電子制御モジュールがそれらＬＥＤ素子１４の発光色を調整しつつそれらＬＥＤ素子１４の輝度を調整することで、所定の画像（フルカラーの動画またはフルカラーの静止画）を第１支持プレート１７ａと第２支持プレート１７ｂとの外面（一方の面１８）（フレキシブル透明シート基板１１の一方の面１２および他方の面１３）に表示する。ＬＥＤディスプレイ１０Ｆでは、所定の曲率半径で湾曲するそれら支持プレート１７ａ，１７ｂの外面（フレキシブル透明シート基板の両面）に画像を表示することができる他、第１支持プレート１７ａと第２支持プレート１７ｂとのうちのいずれかの外面（フレキシブル透明シート基板の片面）のみに画像を表示することもできる。
【００９５】
ＬＥＤディスプレイ１０Ｆは、所定の曲率半径で湾曲する第１支持プレート１７ａと第２支持プレート１７ｂとのうちの少なくとも一方の外面（一方の面１８）（フレキシブル透明シート基板１１の一方の面１２と他方の面１３とのうちの少なくとも一面）に所定の画像を表示することで、任意の場所に設置可能であって所定の曲率半径で湾曲するポスターパネルや展示パネル、間仕切りパネル等の宣伝用のパネル板として使用することができ、商品やサービスの各種情報を伝える伝達媒体として利用することができる。
【００９６】
ＬＥＤディスプレイ１０Ｆは、所定の曲率半径で湾曲するフレキシブル透明シート基板１１と所定の曲率半径で湾曲する第１および第２支持プレート１７ａ，１７ｂとが透明であるから、複数のＬＥＤ素子１４を利用してフレキシブル透明シート基板１１の一方の面１２と他方の面１３との少なくとも一面（第１支持プレート１７ａと第２支持プレート１７ｂとのうちの少なくとも一方の外面）に所定の動画または静止画を表示中に、第１支持プレート１７ａ（ＬＥＤディスプレイ１０Ｆ）の外面（一方の面１８）の側から反対側（第２支持プレート１７ｂの外面の側）の景観（景色）を視認することが可能であり、第２支持プレート１７ｂ（ＬＥＤディスプレイ１０Ｆ）の外面（一方の面１８）の側から反対側（第１支持プレート１７ａの外面の側）の景観（景色）を視認することが可能である。
【００９７】
所定の動画または静止画を表示中に、所定の曲率半径で湾曲する第１支持プレート１７ａ（ＬＥＤディスプレイ１０Ｆ）の外面の側から反対側の景観（景色）を視認することが可能であり、所定の曲率半径で湾曲する第２支持プレート１７ｂ（ＬＥＤディスプレイ１０Ｆ）の外面の側から反対側の景観（景色）を視認することが可能である場合、ＬＥＤディスプレイ１０Ｅは、任意の場所に設置可能であって所定の動画または静止画を所定の曲率半径で湾曲する第１支持プレート１７ａと第２支持プレート１７ｂとのうちの少なくとも一方の外面に表示することができるのみならず、所定の動画または静止画を表示中に、第１支持プレート１７ａの外面の側から反対側の景観を視認することができ、第２支持プレート１７ｂの外面の側から反対側の景観を視認することができ、閉塞感を与えることはなく、ＬＥＤディスプレイ１０Ｆを利用することで開放的な環境において所定の動画または静止画を見せることができる。
【００９８】
ＬＥＤディスプレイ１０Ｆは、それらＬＥＤ素子１４の発光色（色彩）の濃度を高くし、それらＬＥＤ素子１４の輝度を高くすることで、それらＬＥＤ素子１４を利用してフレキシブル透明シート基板１１の一方の面１２と他方の面１３とのうちの少なくとも一面に所定の動画または静止画を表示中に、第１および第２支持プレート１７ａ，１７ｂのうちの動画または静止画を非表示中の支持プレート１７ａ，１７ｂの外面（面）の側から反対側の景観を視認可能であるが、第１および第２支持プレート１７ａ，１７ｂのうちの動画または静止画を表示中の支持プレート１７ａ，１７ｂの外面（面）の側から反対側の景観を視認不能にすることができる。
【００９９】
それらＬＥＤ素子１４を利用して所定の動画または静止画を表示中に、第１および第２支持プレート１７ａ，１７ｂのうちの動画または静止画を表示中の支持プレート１７ａ，１７ｂの外面の側から反対側の景観を視認不能であり、第１および第２支持プレート１７ａ，１７ｂのうちの動画または静止画を非表示中の支持プレート１７ａ，１７ｂの外面の側から反対側の景観を視認可能である場合、ＬＥＤディスプレイ１０Ｆは、任意の場所に設置可能であって所定の動画または静止画を所定の曲率半径で湾曲する第１支持プレート１７ａと所定の曲率半径で湾曲する第２支持プレート１７ｂとのうちの少なくとも一方の外面に表示することができるのみならず、所定の動画または静止画を表示中に、動画または静止画を非表示中の支持プレート１７ａ，１７ｂの面の側から反対側の景観を視認することができ、動画または静止画を非表示中の支持プレート１７ａ，１７ｂの面の側から反対側の様子を知ることができるとともに、動画または静止画を表示中の支持プレート１７ａ，１７ｂの面の側から反対側の景観を視認不能にすることによって、動画または静止画を非表示中の支持プレート１７ａ，１７ｂの面の側の様子を隠すことができ、動画または静止画を非表示中の支持プレート１７ａ，１７ｂの面の側をプライベートスペースやシークレットスペースにすることができる。
【０１００】
ＬＥＤディスプレイ１０Ｆは、第１および第２支持プレート１７ａ，１７ｂが所定の曲率半径で湾曲していたとしても、可撓性を有するフレキシブル透明シート基板１１をその曲率半径にあわせて湾曲させることができるから、所定の曲率半径で湾曲する第１および第２支持プレート１７ａ，１７ｂの間にフレキシブル透明シート基板１１を配置しつつ第１および第２支持プレート１７ａ，１７ｂにフレキシブル透明シート基板１１を取り付けることができ、様々な湾曲形状のＬＥＤディスプレイ１０Ｆを作ることができるとともに、様々に湾曲する第１支持プレート１７ａや第２支持プレート１７ｂの外面に所定の動画または静止画を表示することができる。
【符号の説明】
【０１０１】
１０Ａ  ＬＥＤディスプレイ
１０Ｂ  ＬＥＤディスプレイ
１０Ｃ  ＬＥＤディスプレイ
１０Ｄ  ＬＥＤディスプレイ
１０Ｅ  ＬＥＤディスプレイ
１０Ｆ  ＬＥＤディスプレイ
１１    フレキシブル透明シート基板
１１ａ  フレキシブル透明シート基板
１１ｂ  フレキシブル透明シート基板
１２    一方の面
１３    他方の面板
１４    ＬＥＤ素子
１５    紫外線遮蔽保護フィルム
１６    端部
１７    支持プレート
１７ａ  第１支持プレート
１７ｂ  第２支持プレート
１８    一方の面
１９    他方の面
２０    上端部
２１    下端部
２２    両側縁部
２３    フレーム
【図１】
2018185396.tif 000003
【図２】
2018185396.tif 000004
【図３】
2018185396.tif 000005
【図４】
2018185396.tif 000006
【図５】
2018185396.tif 000007
【図６】
2018185396.tif 000008
【図７】
2018185396.tif 000009
【図８】
2018185396.tif 000010
【図９】
2018185396.tif 000011
【図１０】
2018185396.tif 000012